(57)【要約】      （修正有）【課題】自動車運転時の背中当てクッションとして利用され、収容物の温度を一定に保つことのできるバッグ部を有する保冷バッグ機能付きクッションを提供する。【解決手段】クッション部１と、該クッション部１の背面に設けられたバッグ部２であって、上部開口並びに山折りと谷折りを繰り返した蛇腹状の左右側面及び底面を有する伸縮自在なバッグ部２と、を有し、バッグ部２の内面に熱反射シート３を設けた構成とする。クッション部１の背面に伸縮自在なバッグ部２を設けると共に、そのバッグ部２の内面に熱反射シート３を設けることで、単なる自動車運転時の背中当てクッションとしてだけでなく、バッグ部２を伸ばすと、買い物してきた生鮮食品等を収容することができ、帰宅時まで収容物が腐る心配のない保冷機能を有する保冷バッグとしても利用することができる。【選択図】図３
0003187423.tif 000002
【実用新案登録請求の範囲】
【請求項１】
クッション部と、該クッション部の背面に設けられた伸縮自在なバッグ部からなり、上記バッグ部の内面に熱反射シートを設けたことを特徴とする保冷バッグ機能付きクッション。
【請求項２】
上記バッグ部の開口を、開閉自在なカバー部材で覆ったことを特徴とする請求項１に記載の保冷バッグ機能付きクッション。
【考案の詳細な説明】
【技術分野】
【０００１】
本考案は、保冷バッグ機能付きクッションに関し、更に詳しくは、自動車運転時の背中当てクッションとして利用できると共に、買い物してきた品物の保冷バッグとしても利用できる保冷バッグ機能付きクッションに関する。
【背景技術】
【０００２】
従来より、単に物を持ち運びするだけでなく、様々な機能を付加することで、他の用途にも利用できるようにしたバッグが提案されている。
【０００３】
その一つに、周面に開口部を有した有底の筒状として保持手段を備えたバッグ本体と、該バッグ本体の底面と略同形状のシート状として内部に弾性体を内蔵させたクッションとを備えてなり、前記バッグ本体表面側の底面と前記クッションとの相互の対向面が、解除可能な係着手段によって結合されているクッション付きバッグが知られている（特許文献１）。
【０００４】
上記特許文献１のクッション付きバッグは、通常のバッグの用途として利用できるのは勿論のこと、野球やサッカー観戦の際は、バッグ本体に結合されたクッションを取り外し、そのクッションを座布団として利用できる便利なものであった。
【先行技術文献】
【特許文献】
【０００５】
【特許文献１】実開平０７−０３６７３０号公報
【考案の概要】
【考案が解決しようとする課題】
【０００６】
しかしながら、上記特許文献１のクッション付きバッグは、バッグ本体が伸縮しないので嵩張るのは勿論のこと、保冷機能を一切有しないため、バッグ本体に飲料水や弁当などを収容してスポーツ観戦や行楽等に出掛けると、特に夏場は、飲料水が直ぐに温くなってしまい、弁当などの食べ物は腐ってしまう恐れがあった。
【０００７】
本考案は上記の問題に鑑みてなされたもので、その解決しようとする課題は、自動車運転時の背中当てのクッションとして利用することができ、加えて、保冷機能を有するバッグ部をクッション部の背面に設けることで、収容した飲料水等の温度を一定に保つことのできる保冷バッグ機能付きクッションを提供することにある。
【課題を解決するための手段】
【０００８】
上記目的を達成するため、本考案に係る保冷バッグ機能付きクッションは、クッション部と、該クッション部の背面に設けられた伸縮自在なバッグ部からなり、上記バッグ部の内面に熱反射シートを設けたことを特徴とするものである。
【０００９】
本考案の保冷バッグ機能付きクッションにおいては、上記バッグ部の開口を、開閉自在なカバー部材で覆ったことが好ましい。
【考案の効果】
【００１０】
本考案の保冷バッグ機能付きクッションは、クッション部の背面に伸縮自在なバッグ部を設けることで、単なる自動車運転時の背中当てクッションとしてだけでなく、バッグ部を伸ばすことで、バッグとしても利用することができるようになる。しかも、バッグ部の内面には熱反射シートが設けられているので、保冷機能を有し、買い物してきた生鮮食品等を収容しても帰宅までに腐ったりする心配がない。
【００１１】
特に、上記バッグ部の開口を、開閉自在なカバー部材で覆った保冷バッグ機能付きクッションは、バッグ部の開口をカバー部材で覆うことで、保冷機能がより一層強化されるのに加えて、収容した内容物が運転時の振動でこぼれ落ちる心配がなくなる。また、バッグ部の中身を隠すことになるので、防犯の観点からも好ましい。
【図面の簡単な説明】
【００１２】
【図１】本発明の一実施形態に係る保冷バッグ機能付きクッションを示す斜視図である。
【図２】同クッションのバッグ部を最大限に伸ばした状態を示すものであって、カバー部材を省略した斜視図である。
【図３】同クッションの図１と図２の中間の状態を示す斜視図である。
【図４】同クッションのバッグ部を最大限に伸ばした状態で、且つ、カバー部材を省略していない状態の斜視図である。
【考案を実施するための形態】
【００１３】
以下、図面を参照して本考案の具体的な実施形態を詳述する。
【００１４】
本考案の保冷バッグ機能付きクッション１０（以下、単にクッション１０という。）は、クッション部１と、クッション部１の背面に設けられた飲料水や弁当、生鮮食品等を収容する伸縮自在のバッグ部２からなるもので、図１に示すバッグ部２を縮めた通常の状態では、自動車運転時等のクッションとして利用することができ、図２に示すバッグ部２を伸ばした状態では、内部に生鮮食品等を収容するバッグとしても利用できるものである。
【００１５】
クッション部１は、クッションに適した軟質ウレタンフォームで形成された厚みが２０〜５００ｍｍ程度のもので、図１に示すように、自動車運転時に背中や腰を適切にサポートするよう、背中の形状に沿うように湾曲形成されている。
尚、クッション部１は、上記のように、適度に湾曲しているので、自動車運転時の背中当てのクッションとしてだけでなく、例えば、簡易枕として利用するのにも適している。
【００１６】
上記クッション部１の背面には、バッグ部２が設けられている。バッグ部２は、図３に示すように、左右側面２ｃ，２ｄ及び底面２ｅが、山折りと谷折りを繰り返した蛇腹状に形成されており、この構造を採用することで、図１に示すように、バッグ部２を縮めたり、図２に示すように、バッグ部２を伸ばしたりすることが自在となっている。このバッグ部２は、軽くて水や汚れに強いポリエステル製の生地で縫製されており、前面２ａ、後面２ｂ、及び、上記の左右側面２ｃ，２ｄは、クッション１０をバッグとして用いる際の剛性を確保すると共に保冷機能を高めるため、その内側に芯材が埋入されている。
【００１７】
また、バッグ部２の底面２ｅには、２つ折りの中敷き２０ｅが敷設されている。この中敷き２０ｅは、芯材の周囲に後述する熱反射シート３が設けられたものであって、その中間地点に折り目が形成されて、２つ折りができるようになっている。従って、図２に示すように、バッグ部２を伸ばした際は、中敷き２０ｅを真っ直ぐにして底面２ｅに敷設すれば、バッグ部２の剛性と保冷機能が確保され、図１、図３に示すように、バッグ部２を縮めた際は、中敷き２０ｅを折り目に沿って２つ折りにして、前面２ａ又は後面２ｂに沿わせることでバッグ部２の内部に収容されるようになっている。
【００１８】
尚、この中敷き２０ｅは、前面２ａ、後面２ｂ及び底面２ｅから独立しているので、必要のないときは、いつでも取外しすることができる。
【００１９】
図２に示すように、上記バッグ部２の前面２ａ及び後面２ｂの上端縁には、クッション１０を保持等するための保持ベルト２ｆ，２ｆが縫着されている。この保持メルト２ｆには、長さ調整用のバックル（不図示）を設けることが好ましく、バックルを設けると、保持ベルト２ｆを持ち易い長さに調整できるようになるのは勿論のこと、保持ベルト２ｆを適切な長さに調整し、自動車の座席のヘッドレストから吊り下げることで、好みの箇所にクッション部１を位置させることができるようになる。この保持ベルト２ｆ，２ｆは、クッション１０を使用しない際は、図１に示すように、バッグ部２の内部に収容すれば邪魔になることもない。
【００２０】
また、バッグ部２の前面２ａには、図１に示すように、縮めたバッグ部２が広がらないようにするための止め片２ｇが設けられている。この止め片２ｇの先端には、雄型の面ファスナー（不図示）が縫着されており、バッグ部２の後面２ｂに縫着された雌型の面ファスナー（不図示）と係止することで、バッグ部２の広がりを抑止している。
【００２１】
上記構成のバッグ部２の内面（前面２ａ、後面２ｂ、左右側面２ｃ，２ｄの内側面）には、熱反射シート３が設けられている。この熱反射シート３をバッグ部２の内面全て（底面２ｅは熱反射シート３が設けられた中敷き２０ｅが敷設されている）に貼着すると、バッグ部２の内部は外気温の影響を受け難くなって一定の温度に保たれるので、内部に収容した飲料水が直ぐに温かくなってしまったり、弁当や生鮮食品等が腐ってしまうのを防止できる保冷機能を有するようになる。この熱反射シート３としては、日射や輻射熱の反射効率が高いアルミ蒸着樹脂フィルムやアルミ箔ラミネートフィルムが好適に用いられる。
【００２２】
尚、上記熱反射シート３は、バッグ部２内部の温度を一定に保つ役割を果たすので、保冷機能の他にも、温かい飲料水や弁当等を温かいままに保つ保温効果もあることは言うまでもない。
【００２３】
上記バッグ部２の上部開口は、図４に示すように、開閉自在なカバー部材４で覆われている。このカバー部材４は、バッグ部２の前面２ａ、後面２ｂ、左右側面２ｃ，２ｄの上端縁に縫着された布製の巾着袋であって、その上部に形成された紐通し孔に通された紐４ａを引っ張ることで開口が縛られて、バッグ部２の上部開口が閉じられるようになっている。
【００２４】
このようなカバー部材４でバッグ部２の開口を覆うと、収容した内容物がこぼれ落ちる心配がなくなるのに加えて、冷気が逃げることがなくなり、保冷機能がより一層強化される。また、バッグ部２の中身を隠すので、防犯の観点からも好ましい。このカバー部材４は、どのような形状にも変化する布製なので、バッグ部２を縮める際は、蛇腹状の左右側面２ｃ，２ｄの間に収納することではみ出してしまう心配もない。
【００２５】
上記のような構成の本考案のクッション１０は、クッション部１の背面に伸縮自在なバッグ部２を設けることで、単なる自動車運転時の背中当てクッションとしてだけでなく、バッグ部２を伸ばすことで、車内での保冷バッグとしても利用することができるようになるので、例えば、次のような使い方ができる。即ち、買い物の際の自動車の運転時は、通常のバッグ部２を縮めた状態にして、保持ベルト２ｆを自動車の座席のヘッドレストに引っ掛けて背中当てのクッションとして利用する。
【００２６】
そして、購入した飲料水や生鮮食品等は、バッグ部２の止め片２ｇの係止を解除し、バッグ部２を伸ばした状態にしてその内部に収容する。その際、バッグ部２の内面には熱反射シート３が設けられているので、冷たい飲料水はそのままの状態で、また、生鮮食品等は帰宅時まで腐敗することなく持ち帰ることができるようになる。このように本考案のクッション１０は、普段の生活でも、非常に便利な使い方ができる優れたものである。
【００２７】
また、図２又は図３の状態において、バッグ部２の止め片２ｇは、飲料や食品を入れた小さなポリ袋等を、バッグ部２に入れて、当該ポリ袋等の把持部をここに留めて使用することもできる。このようにすれば、バッグ部２の内部でポリ袋等の位置がズレたりすることを防止することができる。
【符号の説明】
【００２８】
１０  保冷バッグ機能付きクッション
１    クッション部
２    バッグ部
２ａ  前面
２ｂ  後面
２ｃ  右側面
２ｄ  左側面
２ｅ  底面
２０ｅ  中敷き
２ｆ  保持ベルト
２ｇ  止め片
３    熱反射シート
４    カバー部材
４ａ  紐
【図１】
0003187423.tif 000003
【図２】
0003187423.tif 000004
【図３】
0003187423.tif 000005
【図４】
0003187423.tif 000006
【手続補正書】
【提出日】平成25年9月20日(2013.9.20)
【手続補正１】
【補正対象書類名】実用新案登録請求の範囲
【補正対象項目名】全文
【補正方法】変更
【補正の内容】
【実用新案登録請求の範囲】
【請求項１】
クッション部と、該クッション部の背面に設けられたバッグ部であって、上部開口並びに山折りと谷折りを繰り返した蛇腹状の左右側面及び底面を有する伸縮自在なバッグ部と、を有し、
上記バッグ部の内面に熱反射シートを設けたことを特徴とする保冷バッグ機能付きクッション。
【請求項２】
上記バッグ部の開口を、巾着袋状の開閉自在なカバー部材で覆ったことを特徴とする請求項１に記載の保冷バッグ機能付きクッション。